(57)【要約】      （修正有）【課題】印刷済みの用紙の管理を容易に行え、且つ、印刷する印刷内容に対して信頼性を与えることが可能なプリンタを供給する。【解決手段】所定の印刷内容を印刷する対象物に記憶部材を装着するとともに、その記憶部材の識別情報と印刷内容とを関連付けて登録管理するようにした。【選択図】図４
2004314590.tif 000002
【特許請求の範囲】
【請求項１】
識別情報を記憶する記憶部材を収容する記憶部材収容体と、対象物に対して所定の印刷内容の印刷を行う印刷手段と、前記印刷手段で印刷された印刷済み対象物に、前記記憶部材収容体に収納される記憶部材を装着する記憶部材装着手段と、前記記憶部材に記憶している識別情報を取得する識別情報取得手段と、前記印刷手段、前記記憶部材装着手段及び前記識別情報取得手段の動作を制御する制御手段とを具備するものであって、
前記制御手段が、前記印刷内容を受け付ける印刷内容受付部と、前記印刷手段に前記印刷内容受付部で受け付けた印刷内容の前記対象物への印刷の実行をさせる印刷実行部と、前記印刷実行部で前記対象物への印刷が完了したか否かを検知する印刷完了検知部と、前記印刷完了検知部で前記対象物への印刷が完了したと検知された際に、前記記憶部材装着手段に前記記憶部材の前記対象物への装着の実行をさせる装着実行部と、前記識別情報取得手段に前記対象物へ装着される記憶部材からその記憶部材に記憶している識別情報の取得の実行をさせる識別情報取得実行部と、前記印刷実行部で印刷の実行がされる印刷内容又はその印刷内容に係る情報と前記識別情報取得実行部で取得させた識別情報とを関連付けて登録管理するデータ管理部とを備えてなることを特徴とするプリンタ。
【請求項２】
前記記憶部材が、複数枚の用紙を綴じることが可能な綴じ具に一体的または半一体的に備えられてなるものであって、前記記憶部材収容体が、記憶部材を一体的または半一体的に備えた装備綴じ具を収容するとともに、前記記憶部材装着手段が、印刷済みの複数枚の用紙に、前記装備綴じ具で綴じるようにして装着することを特徴とする請求項１記載のプリンタ。
【請求項３】
前記記憶部材収容体が、種類の異なる複数の装備綴じ具を収容するものであり、
また、前記制御手段が、用紙又は印刷済み用紙の枚数を取得する印刷枚数取得部を備えるものであって、
前記装着実行部が、前記記憶部材装着手段に、前記記憶部材収容体に収容している複数の装備綴じ具のうち、前記印刷枚数取得部で取得された枚数に応じた所定の装備綴じ具で複数枚の用紙又は印刷済み用紙を綴じるようにして装着させることを特徴とする請求項２記載のプリンタ。
【請求項４】
前記記憶部材収容体が、種類の異なる複数の装備綴じ具を収容するものであり、
また、前記制御手段が、用紙又は印刷済み用紙の厚みを取得する厚み取得部を備えるものであって、
前記装着実行部が、前記記憶部材装着手段に、前記記憶部材収容体に収容している複数の装備綴じ具のうち、前記厚み取得部で取得された厚みに応じた所定の装備綴じ具で複数枚の用紙又は印刷済み用紙を綴じるようにして装着させることを特徴とする請求項２又は３記載のプリンタ。
【請求項５】
前記厚み取得部が、複数の印刷済み用紙の総厚みを一度に測定して取得することを特徴とする請求項４記載のプリンタ。
【請求項６】
前記制御手段が、前記識別情報取得手段に、所定の印刷内容を印刷されてなる対象物に装着された記憶部材に記憶している識別情報の取得の実行をさせる第２識別情報取得実行部と、前記第２識別情報取得実行部で取得させた識別情報に係る印刷内容を前記データ管理部から抽出する印刷内容抽出部とを備えてなるとともに、前記印刷内容受付部が、前記印刷内容抽出部で抽出した印刷内容を受け付け得るように構成していることを特徴とする請求項１乃至５いずれか記載のプリンタ。
【請求項７】
所定の情報を前記記憶部材に書き込み得る書き込み手段を具備するとともに前記制御手段がこの書き込み手段の動作を制御するものであって、
前記制御手段が、前記書き込み手段に、前記データ管理部で管理する印刷内容又はその印刷内容に係る情報を、前記対象物に装着させる記憶部材に書き込むように動作させ得る書き込み実行部を備えていることを特徴とする請求項１乃至６いずれか記載のプリンタ。
【請求項８】
前記書き込み手段が、前記記憶部材に所定の情報を非接触方式にて書き込み可能に動作する無線通信デバイスであることを特徴とする請求項７記載のプリンタ。
【請求項９】
前記識別情報取得手段が、前記記憶部材に記憶している所定の情報を非接触方式にて読み取り可能に動作する無線通信デバイスであることを特徴とする請求項１乃至８いずれか記載のプリンタ。
【請求項１０】
前記データ管理部が、前記印刷内容受付部で受け付けた印刷内容を受け付ける印刷内容データ受付部と、前記識別情報取得手段で取得した識別情報を受け付ける識別情報データ受付部とを少なくとも備えていることを特徴とする請求項１乃至９いずれか記載のプリンタ。
【請求項１１】
前記データ管理部が、所定のデータを格納するデータ格納部と、前記印刷内容データ受付部で受け付けた印刷内容と前記識別情報データ受付部で受け付けた識別情報とを前記データ格納部に管理格納するデータ管理本体部とをさらに備えていることを特徴とする請求項１０記載のプリンタ。
【請求項１２】
複数の制御手段を具備するものであって、前記印刷内容データ受付部と前記識別情報データ受付部とが一の制御手段に備えられ、前記データ格納部と前記データ管理本体部とが前記一の制御手段に所定の通信回線を介して通信可能に接続される他の制御手段に備えられていることを特徴とする請求項１１記載のプリンタ。
【請求項１３】
前記制御手段が、印刷内容の利用を段階的に制限するための利用レベルを受け付ける利用レベル設定受付部を備え、
前記利用レベル設定受付部で受け付けた利用レベルと前記識別情報及び前記印刷内容又はその印刷内容に係る情報とを関連付けて前記データ管理部に格納していることを特徴とする請求項1乃至１２いずれか記載のプリンタ。
【請求項１４】
前記利用レベルが、前記印刷内容の全部又は一部を前記印刷手段に印刷させることを制限するものであることを特徴とする請求項１３記載のプリンタ。
【請求項１５】
前記利用レベルが、前記印刷内容が他の対象物に再印刷されることを制限し得るものであることを特徴とする請求項１３又は１４記載のプリンタ。
【請求項１６】
前記制御手段が、前記印刷内容に対するコメントを受け付けるコメント受付部を備え、
前記印刷実行部が、前記印刷手段に対して、前記コメント受付部で受け付けたコメントの前記対象物への印刷の実行をさせるように構成していることを特徴とする請求項１乃至１５いずれか記載のプリンタ。
【請求項１７】
前記制御手段が、前記印刷内容に対する所定の証明を付与する旨の証明付与命令を受け付ける証明付与命令受付部を備え、
前記証明付与命令受付部が証明付与命令を受け付けた際に、前記印刷実行部が、前記印刷手段に対して、前記対象物への所定の証明の付与の実行をさせるように構成していることを特徴とする請求項１乃至１６いずれか記載のプリンタ。
【請求項１８】
所定の情報を記憶可能な記憶部材を収容する記憶部材収容体と、対象物に対して所定の印刷内容の印刷を行う印刷手段と、前記印刷手段で印刷された印刷済み対象物に、前記記憶部材収容体に収納される記憶部材を装着する記憶部材装着手段と、所定の情報を前記記憶部材に書き込み得る書き込み手段と、前記印刷手段、前記記憶部材装着手段及び前記書き込み手段の動作を制御する制御手段とを具備するものであって、
前記制御手段に、前記印刷内容を受け付ける印刷内容受付部と、前記印刷手段に前記印刷内容受付部で受け付けた印刷内容の前記対象物への印刷の実行をさせる印刷実行部と、前記印刷実行部で前記対象物への印刷が完了したか否かを検知する印刷完了検知部と、前記印刷完了検知部で前記対象物への印刷が完了したと検知された際に、前記記憶部材装着手段に前記記憶部材の前記対象物への装着の実行をさせる装着実行部と、前記印刷実行部で印刷の実行がされる印刷内容に係る書き込み情報を前記記憶部材に書き込むように前記書き込み手段にその書き込みの実行をさせる書き込み実行部とを備えてなることを特徴とするプリンタ。
【請求項１９】
前記記憶部材が、複数枚の用紙を綴じることが可能な綴じ具に一体的または半一体的に備えられてなるものであって、前記記憶部材収容体が、記憶部材を一体的または半一体的に備えた装備綴じ具を収容するとともに、前記記憶部材装着手段が、印刷済みの複数枚の用紙に、前記装備綴じ具で綴じるようにして装着することを特徴とする請求項１８記載のプリンタ。
【請求項２０】
前記書き込み情報が、前記印刷内容受付部で受け付けた印刷内容を管理するための情報であることを特徴とする請求項１８又は１９記載のプリンタ。
【請求項２１】
前記書き込み情報が、前記印刷内容受付部で受け付けた印刷内容そのものを示すデジタルデータであることを特徴とする請求項１８又は１９記載のプリンタ。
【請求項２２】
前記書き込み手段が、前記記憶部材に所定の情報を非接触方式にて書き込み可能に動作する無線通信デバイスであることを特徴とする請求項１８乃至２１いずれか記載のプリンタ。
【請求項２３】
前記制御手段が、前記印刷内容の利用を段階的に制限するための利用レベルを受け付ける利用レベル設定受付部を備え、
前記利用レベル設定受付部で受け付けた利用レベルを、前記書き込み実行部が、前記記憶部材に書き込むように前記書き込み手段にその書き込みの実行をさせることを特徴とする請求項１８乃至２２いずれか記載のプリンタ。
【請求項２４】
前記利用レベルが、前記印刷内容の全部又は一部を前記印刷手段に印刷させることを制限するものであることを特徴とする請求項２３記載のプリンタ。
【請求項２５】
前記利用レベルが、前記印刷内容が他の対象物に再印刷されることを制限し得るものであることを特徴とする請求項２３または２４記載のプリンタ。
【請求項２６】
識別情報を記憶する記憶部材を収容する記憶部材収容体と、対象物に対して所定の印刷内容の印刷を行う印刷手段と、前記印刷手段で印刷された印刷済み対象物に、前記記憶部材収容体に収納される記憶部材を装着する記憶部材装着手段と、前記印刷手段及び前記記憶部材装着手段の動作を制御する制御手段とを具備するものであって、
前記制御手段が、前記印刷内容を受け付ける印刷内容受付部と、前記印刷手段に前記印刷内容受付部で受け付けた印刷内容の前記対象物への印刷の実行をさせる印刷実行部と、前記印刷実行部で前記対象物への印刷が完了したか否かを検知する印刷完了検知部と、前記印刷完了検知部で前記対象物への印刷が完了したと検知された際に、前記記憶部材装着手段に前記記憶部材の前記対象物への装着の実行をさせる装着実行部とを備えてなることを特徴とするプリンタ。
【請求項２７】
識別情報を記憶する記憶部材を少なくとも収容する収容体と、
対象物に対して所定の印刷内容の印刷を行う印刷手段と、
印刷対象物に対して、前記収容体に収納される記憶部材を付与すべく供給する供給手段と、
前記印刷手段及び前記供給手段の動作を制御する制御手段とを具備するものであって、
前記制御手段が、前記印刷内容を受け付ける印刷内容受付部と、
前記印刷実行部における前記対象物への印刷状態を検知する印刷状態検知部と、
前記印刷手段に前記印刷内容受付部で受け付けた印刷内容の前記対象物への印刷の実行をさせる印刷実行部と、
前記印刷状態検知部で検知する印刷状態に係る所定のタイミングで、前記供給手段に前記記憶部材の前記対象物への供給の実行をさせる供給実行部と
を備えてなることを特徴とするプリンタ。
【請求項２８】
前記記憶部材が、対象物に貼り付け可能な貼付部材に一体的に備えられてなるものであって、
前記収容体が、記憶部材を一体的に備えた装備貼付部材を収容するとともに、
前記供給手段が、前記装備貼付部材を、前記印刷対象物に直接貼付することを目的に供給、又は、貼り付けない状態でそのまま供給することを特徴とする請求項２７記載のプリンタ。
【請求項２９】
前記供給実行部が、
前記対象物に印刷する前、又は前記対象物に印刷中、又は前記対象物に印刷後のいずれかのタイミングで、前記供給手段に、貼付部材を供給させることを特徴とする請求項２８記載のプリンタ。
【請求項３０】
前記収容体が、記憶部材を備えず且つ対象物に貼り付け可能な非装備貼付部材をさらに収納するものであり、
また、前記制御手段が、前記印刷対象物に、前記装備貼付部材及び前記非装備貼付部材のどちらの貼付部材を供給するかを示す選択供給命令を受け付ける選択供給命令受付部を備えるものであって、
前記選択供給命令受付部で受け付けた選択供給命令が、前記印刷対象物に前記装備貼付部材を供給する旨の命令である場合には、前記供給手段に、前記装備貼付部材を供給させる一方、前記選択供給命令受付部で受け付けた選択供給命令が、前記印刷対象物に前記装備貼付部材を供給しない旨の命令である場合には、前記供給手段に、前記非装備貼付部材を供給させるか又はいずれの貼付部材も供給させないようにしたことを特徴とする請求項２８又は２９記載のプリンタ。
【請求項３１】
前記記憶部材が、所定の大きさに形成されてなる薄板材（カード）に一体的に備えられてなるものであって、
前記収容体が、記憶部材を一体的に備えた装備薄板材を収容するとともに、
前記供給手段が、前記装備薄板材を、綴じ具で前記印刷対象物と一体的に綴じた状態となるように供給、又は、綴じ具で前記印刷対象物と一体的に綴じない状態となるように供給することを特徴とする請求項２７記載のプリンタ。
【請求項３２】
前記記憶部材が、複数枚の用紙を綴じることが可能な綴じ具に一体的または半一体的に備えられてなるものであって、
前記収容体が、記憶部材を一体的または半一体的に備えた装備綴じ具を収容するとともに、
前記供給手段が、前記装備綴じ具を、前記印刷対象物に装着した状態となるように供給、又は、装着しない状態となるように供給することを特徴とする請求項２７記載のプリンタ。
【請求項３３】
前記供給手段が、前記装備綴じ具を、前記印刷対象物に装着しない状態でそのまま供給する際には、
前記供給実行部が、
前記対象物に印刷する前、又は前記対象物に印刷中、又は前記対象物に印刷後のいずれかのタイミングで、
前記供給手段に、前記装備綴じ具を、前記印刷対象物に装着しない状態でそのまま供給させることを特徴とする請求項３２記載のプリンタ。
【請求項３４】
前記収容体が、記憶部材を備えず且つ対象物に装着可能な非装備綴じ具をさらに収納するものであり、
また、前記制御手段が、前記印刷対象物に、前記装備綴じ具及び前記非装備綴じ具のどちらの綴じ具を供給するかを示す選択供給命令を受け付ける選択供給命令受付部を備えるものであって、
前記選択供給命令受付部で受け付けた選択供給命令が、前記印刷対象物に前記装備綴じ具を供給する旨の命令である場合には、前記供給手段に、前記装備綴じ具を供給させる一方、前記選択供給命令受付部で受け付けた選択供給命令が、前記印刷対象物に前記装備綴じ具を供給しない旨の命令である場合には、前記供給手段に、前記非装備綴じ具を供給させるか又はいずれの綴じ具も供給させないようにしたことを特徴とする請求項３２又は３３記載のプリンタ。
【発明の詳細な説明】
【技術分野】
【０００１】
本発明は、対象物に所定の印刷内容を印刷するとともに、所定の情報を記憶する記憶部材を装着させるプリンタに関するものである。
【背景技術】
【０００２】
プリンタ装置から排出される印刷済みの紙を紙引込みローラ機構によって順次書類綴じ装置内の綴じ処理テーブル上へ引込み、引込んだ印刷済みの紙を紙揃え機構により揃えて電動ステープラにより綴じ、綴じた印刷済みの紙を紙排出機構により排出するように構成した書類綴じ装置が提供されている（例えば、特許文献１参照。）。
【特許文献１】特願２００２−２４１０４５号公報（第２乃至第４頁、第１図）
【発明の開示】
【発明が解決しようとする課題】
【０００３】
しかしながら、このような書類綴じ装置では、複数枚の印刷済みの紙を単に綴じるだけであるので、例えば、印刷内容の異なる綴じたものが複数になった場合には、印刷内容を読まなければ綴じたものがどのような類のものであるかを判別できない。また、綴じたものが、悪意などによって差し替えられたり内容が改変されたりしても、それを発見することが甚だ困難である。すなわち、印刷して綴じられた紙を管理することが困難であり、また、内容の信憑性にも問題が残るといった課題を有している。
【０００４】
そこで、本発明は、上述のような綴じたものはもちろんのこと一片の紙に対しても、上述する問題を解決することを主たる課題とするものである。
【課題を解決するための手段】
【０００５】
すなわち、本発明のプリンタは、識別情報を記憶する記憶部材を収容する記憶部材収容体と、対象物に対して所定の印刷内容の印刷を行う印刷手段と、前記印刷手段で印刷された印刷済み対象物に、前記記憶部材収容体に収納される記憶部材を装着する記憶部材装着手段と、前記記憶部材に記憶している識別情報を取得する識別情報取得手段と、前記印刷手段、前記記憶部材装着手段及び前記識別情報取得手段の動作を制御する制御手段とを具備するものであって、前記制御手段が、前記印刷内容を受け付ける印刷内容受付部と、前記印刷手段に前記印刷内容受付部で受け付けた印刷内容の前記対象物への印刷の実行をさせる印刷実行部と、前記印刷実行部で前記対象物への印刷が完了したか否かを検知する印刷完了検知部と、前記印刷完了検知部で前記対象物への印刷が完了したと検知された際に、前記記憶部材装着手段に前記記憶部材の前記対象物への装着の実行をさせる装着実行部と、前記識別情報取得手段に前記対象物へ装着される記憶部材からその記憶部材に記憶している識別情報の取得の実行をさせる識別情報取得実行部と、前記印刷実行部で印刷の実行がされる印刷内容又はその印刷内容に係る情報と前記識別情報取得実行部で取得させた識別情報とを関連付けて登録管理するデータ管理部とを備えるようにしたものである。
【０００６】
なお、本発明における「プリンタ」とは、パソコンで作成された文書などの印刷内容を用紙に印刷するものに限らず、電話回線を介して外部から受信した印刷内容を用紙に印刷するもの（例えば、ファクシミリ）や、印刷済みの用紙からその印刷内容を読み取って新たな用紙に印刷するもの（例えば、複写機）など、用紙に所定の印刷内容を印刷し得る機能を備えたものと定義する。
【０００７】
また、複数のハウジングを有し、各ハウジングに備えた各手段が所定の通信回線で通信可能に構成されるものも含むものとする。
【０００８】
また、用紙とは、紙製のものを含むことは無論のこと、例えばプラスチック製のＯＨＰシートなどのように、表面に印刷可能なもの全般を含み、材質、形状および厚み等は問わない。
【０００９】
このような構成によれば、所定の印刷内容を印刷する対象物に記憶部材を装着するので、この記憶部材に記憶している識別情報に基づいて対象物の管理を容易に行うことができる。また、記憶部材に記憶する識別情報と印刷内容とを関連付けて登録管理しているので、この登録したものを参照すれば、記憶部材を装着している対象物にどのような印刷内容が印刷されているかを簡単に知ることもできる。そして、登録されている印刷内容と対象物に印刷されている印刷内容とが異なっていれば、記憶部材を装着している用紙に、問題があることを発見することができる。すなわち、印刷済みの用紙の管理を容易に行え、且つ、印刷する印刷内容に対して信頼性を与えることが可能な非常に高性能なプリンタを実現することができる。
【００１０】
なお、本発明の望ましい態様としては、前記記憶部材が、複数枚の用紙を綴じることが可能な綴じ具に一体的または半一体的に備えられてなるものであって、前記記憶部材収容体が、記憶部材を一体的または半一体的に備えた装備綴じ具を収容するとともに、前記記憶部材装着手段が、印刷済みの複数枚の用紙に、前記記憶部材を一体的または半一体的に備えた装備綴じ具で綴じるようにして装着するものが挙げられる。本発明において、一体的とは「記憶部材と綴じ具とが、他の部材を介さず直接的に接して一体的な状態にあること」を意味する概念であり、半一体的とは「記憶部材と綴じ具とが、他の部材を介して間接的に位置付けられ一体的な状態にあること」を意味する概念である。
【００１１】
また、印刷枚数の変化に好適に対応するためには、前記記憶部材収容体が、種類の異なる複数の装備綴じ具を収容するものであり、また、前記制御手段が、用紙又は印刷済み用紙の枚数を取得する印刷枚数取得部を備えるものであって、前記装着実行部が、前記記憶部材装着手段に、前記記憶部材収容体に収容している複数の装備綴じ具のうち、前記印刷枚数取得部で取得された枚数に応じた所定の装備綴じ具で複数枚の用紙又は印刷済み用紙を綴じるようにして装着させることが好ましい。
【００１２】
なお、前記記憶部材収容体が、種類の異なる複数の装備綴じ具を収容するものであり、また、前記制御手段が、用紙又は印刷済み用紙の厚みを取得する厚み取得部を備えるものであって、前記装着実行部が、前記記憶部材装着手段に、前記記憶部材収容体に収容している複数の装備綴じ具のうち、前記厚み取得部で取得された厚みに応じた所定の装備綴じ具で複数枚の用紙又は印刷済み用紙を綴じるようにして装着させるといった態様も挙げられる。この場合、前記厚み取得部が、複数の印刷済み用紙の総厚みを一度に測定して取得するものであれば、その効果は顕著となる。
【００１３】
また、前記制御手段が、前記識別情報取得手段に、所定の印刷内容を印刷されてなる対象物に装着された記憶部材に記憶している識別情報の取得の実行をさせる第２識別情報取得実行部と、前記第２識別情報取得実行部で取得させた識別情報に係る印刷内容を前記データ管理部から抽出する印刷内容抽出部とを備えてなるとともに、前記印刷内容受付部が、前記印刷内容抽出部で抽出した印刷内容を受け付け得るように構成すれば、所定の印刷内容が印刷済みであり且つ記憶部材を装着済みの対象物をプリンタにかざせば、その対象物と同一の印刷内容を新たな対象物に印刷することができる。
【００１４】
また、印刷済みの対象物を、印刷された内容が改変された場合にはそれを容易に発見できるといった信頼性の高いものとするためには、所定の情報を前記記憶部材に書き込み得る書き込み手段を具備するとともに前記制御手段がこの書き込み手段の動作を制御するものであって、前記制御手段が、前記書き込み手段に、前記データ管理部で管理する印刷内容又はその印刷内容に係る情報を、前記対象物に装着させる記憶部材に書き込むように動作させ得る書き込み実行部を備えていることが望ましい。
【００１５】
また、プリンタへの組み込みの設計自由度を向上させるためには、前記書き込み手段が、前記記憶部材に所定の情報を非接触方式にて書き込み可能に動作する無線通信デバイスであり、また、前記識別情報取得手段が、前記記憶部材に記憶している所定の情報を非接触方式にて読み取り可能に動作する無線通信デバイスであることが好ましい。
【００１６】
ところで、本発明における前記データ管理部の望ましい態様としては、前記データ管理部が、前記印刷内容受付部で受け付けた印刷内容を受け付ける印刷内容データ受付部と、前記識別情報取得手段で取得した識別情報を受け付ける識別情報データ受付部とを少なくとも備えているものが挙げられる。また、前記データ管理部が、所定のデータを格納するデータ格納部と、前記印刷内容データ受付部で受け付けた印刷内容と前記識別情報データ受付部で受け付けた識別情報とを前記データ格納部に管理格納するデータ管理本体部とをさらに備えていることが望ましい。そして、この場合の望ましい態様のプリンタとしては、該プリンタが、複数の制御手段を具備するものであり、前記印刷内容データ受付部と前記識別情報データ受付部とが一の制御手段に備えられ、前記データ格納部と前記データ管理本体部とが前記一の制御手段に所定の通信回線を介して通信可能に接続される他の制御手段に備えられているものが挙げられる。
【００１７】
また、前記データ管理部に格納される印刷内容の再利用を制限するためには、前記制御手段が、印刷内容の利用を段階的に制限するための利用レベルを受け付ける利用レベル設定受付部を備え、前記利用レベル設定受付部で受け付けた利用レベルと前記識別情報及び前記印刷内容又はその印刷内容に係る情報とを関連付けて前記データ管理部に格納していることが好ましい。この場合の利用レベルの望ましい態様としては、該利用レベルが、前記印刷内容の全部又は一部を前記印刷手段に印刷させることを制限するものが挙げられる。
【００１８】
ところで、識別情報を用いた、例えば、際限なき再印刷を防止するには、前記利用レベルが、前記印刷内容が他の対象物に再印刷されることを制限し得るものであればよい。本発明において、再印刷を制限し得るものとしては、秘匿したい部分を墨塗りして印刷し物理的に再印刷を制限するものの他、秘密等の文字を文書の背景に薄く重ねて印刷したり、余白部へのマル秘マークや秘密等の文字の印刷など人に対して制限し得るものも含む。
【００１９】
また、印刷内容に含まれないコメントを追加可能にするためには、前記制御手段が、前記印刷内容に対するコメントを受け付けるコメント受付部を備え、前記印刷実行部が、前記印刷手段に対して、前記コメント受付部で受け付けたコメントの前記対象物への印刷の実行をさせるように構成していることが望ましい。
【００２０】
また、印刷済み対象物に内容証明的な機能を発揮させるためには、前記制御手段が、前記印刷内容に対する所定の証明を付与する旨の証明付与命令を受け付ける証明付与命令受付部を備え、前記証明付与命令受付部が証明付与命令を受け付けた際に、前記印刷実行部が、前記印刷手段に対して、前記対象物への所定の証明の付与の実行をさせるように構成していることが好ましい。
【００２１】
本発明の望ましい他の態様としては、所定の情報を記憶可能な記憶部材を収容する記憶部材収容体と、対象物に対して所定の印刷内容の印刷を行う印刷手段と、前記印刷手段で印刷された印刷済み対象物に、前記記憶部材収容体に収納される記憶部材を装着する記憶部材装着手段と、所定の情報を前記記憶部材に書き込み得る書き込み手段と、前記印刷手段、前記記憶部材装着手段及び前記書き込み手段の動作を制御する制御手段とを具備するものであって、前記制御手段に、前記印刷内容を受け付ける印刷内容受付部と、前記印刷手段に前記印刷内容受付部で受け付けた印刷内容の前記対象物への印刷の実行をさせる印刷実行部と、前記印刷実行部で前記対象物への印刷が完了したか否かを検知する印刷完了検知部と、前記印刷完了検知部で前記対象物への印刷が完了したと検知された際に、前記記憶部材装着手段に前記記憶部材の前記対象物への装着の実行をさせる装着実行部と、前記印刷実行部で印刷の実行がされる印刷内容に係る書き込み情報を前記記憶部材に書き込むように前記書き込み手段にその書き込みの実行をさせる書き込み実行部とを備えてなるものが挙げられる。
【００２２】
なお、用紙に印刷された印刷内容が改変されるなど、不正があったことを確実に知り得るようにするためには、前記書き込み情報が、前記印刷内容受付部で受け付けた印刷内容を管理するための情報、又は、前記印刷内容受付部で受け付けた印刷内容そのものを示すデジタルデータであることが望ましい。
【００２３】
また、前記記憶部材に書き込まれた印刷内容の再利用を制限するためには、前記制御手段が、前記印刷内容の利用を段階的に制限するための利用レベルを受け付ける利用レベル設定受付部を備え、前記利用レベル設定受付部で受け付けた利用レベルを、前記書き込み実行部が、前記記憶部材に書き込むように前記書き込み手段にその書き込みの実行をさせることが好ましい。
【００２４】
ところで、識別情報を用いた、例えば、際限なき再印刷を防止するには、前記利用レベルが、前記印刷内容の全部又は一部を前記印刷手段に印刷させることを制限するものや、前記印刷内容が他の対象物に再印刷されることを制限し得るものであることが望ましい。
【００２５】
本発明の望ましい他の態様としては、識別情報を記憶する記憶部材を収容する記憶部材収容体と、対象物に対して所定の印刷内容の印刷を行う印刷手段と、前記印刷手段で印刷された印刷済み対象物に、前記記憶部材収容体に収納される記憶部材を装着する記憶部材装着手段と、前記印刷手段及び前記記憶部材装着手段の動作を制御する制御手段とを具備するものであって、前記制御手段が、前記印刷内容を受け付ける印刷内容受付部と、前記印刷手段に前記印刷内容受付部で受け付けた印刷内容の前記対象物への印刷の実行をさせる印刷実行部と、前記印刷実行部で前記対象物への印刷が完了したか否かを検知する印刷完了検知部と、前記印刷完了検知部で前記対象物への印刷が完了したと検知された際に、前記記憶部材装着手段に前記記憶部材の前記対象物への装着の実行をさせる装着実行部とを備えてなるものが挙げられる。
【００２６】
さらに、本発明の望ましい他の態様としては、識別情報を記憶する記憶部材を少なくとも収容する収容体と、対象物に対して所定の印刷内容の印刷を行う印刷手段と、前記印刷手段で印刷された印刷対象物に対して、前記収容体に収納される記憶部材を付与すべく供給する供給手段と、前記印刷手段及び前記供給手段の動作を制御する制御手段とを具備するものであって、前記制御手段が、前記印刷内容を受け付ける印刷内容受付部と、前記印刷実行部における前記対象物への印刷状態を検知する印刷状態検知部と、前記印刷手段に前記印刷内容受付部で受け付けた印刷内容の前記対象物への印刷の実行をさせる印刷実行部と、前記印刷状態検知部で検知する印刷状態に係る所定のタイミングで、前記供給手段に前記記憶部材の前記対象物への供給の実行をさせる供給実行部とを備えてなるものが挙げられる。
【００２７】
なお、記憶部材を対象物に供給する方法としては、前記記憶部材が、対象物に貼り付け可能な貼付部材に一体的に備えられてなるものであって、前記収容体が、記憶部材を一体的に備えた装備貼付部材を収容するとともに、前記供給手段が、前記装備貼付部材を、前記印刷対象物に直接貼付することを目的に供給、又は、貼り付けない状態でそのまま供給するものが挙げられる。
【００２８】
そして、前記装備貼付部材を対象物に供給する具体的な方法としては、前記供給実行部が、前記対象物に印刷する前、又は前記対象物に印刷中、又は前記対象物に印刷後のいずれかのタイミングで、前記供給手段に、貼付部材を供給させるものが挙げられる。
【００２９】
管理などが必要な対象物にのみ、装備貼付部材を供給するには、前記収容体が、記憶部材を備えず且つ対象物に貼り付け可能な非装備貼付部材をさらに収納するものであり、また、前記制御手段が、前記印刷対象物に、前記装備貼付部材及び前記非装備貼付部材のどちらの貼付部材を供給するかを示す選択供給命令を受け付ける選択供給命令受付部を備えるものであって、前記選択供給命令受付部で受け付けた選択供給命令が、前記印刷対象物に前記装備貼付部材を供給する旨の命令である場合には、前記供給手段に、前記装備貼付部材を供給させる一方、前記選択供給命令受付部で受け付けた選択供給命令が、前記印刷対象物に前記装備貼付部材を供給しない旨の命令である場合には、前記供給手段に、前記非装備貼付部材を供給させるか又はいずれの貼付部材も供給させないようにしたことが望ましい。
【００３０】
なお、記憶部材を対象物に供給する他の方法としては、前記記憶部材が、所定の大きさに形成されてなる薄板材に一体的に備えられてなるものであって、前記収容体が、記憶部材を一体的に備えた装備薄板材を収容するとともに、前記供給手段が、前記装備薄板材を、綴じ具で前記印刷対象物と一体的に綴じた状態となるように供給、又は、綴じ具で前記印刷対象物と一体的に綴じない状態となるように供給するものが挙げられる。
【００３１】
また、記憶部材を対象物に供給するさらなる他の方法としては、前記記憶部材が、複数枚の用紙を綴じることが可能な綴じ具に一体的または半一体的に備えられてなるものであって、前記収容体が、記憶部材を一体的または半一体的に備えた装備綴じ具を収容するとともに、前記供給手段が、前記装備綴じ具を、前記印刷対象物に装着した状態となるように供給、又は、装着しない状態となるように供給するものが挙げられる。
【００３２】
そして、前記装備綴じ具を対象物に供給する具体的な方法としては、前記供給手段が、前記装備綴じ具を、前記印刷対象物に装着しない状態でそのまま供給する際には、前記供給実行部が、前記対象物に印刷する前、又は前記対象物に印刷中、又は前記対象物に印刷後のいずれかのタイミングで、前記供給手段に、前記装備綴じ具を、前記印刷対象物に装着しない状態でそのまま供給させるものが挙げられる。
【００３３】
管理などが必要な対象物にのみ、装備綴じ具を供給するには、前記収容体が、記憶部材を備えず且つ対象物に装着可能な非装備綴じ具をさらに収納するものであり、また、前記制御手段が、前記印刷対象物に、前記装備綴じ具及び前記非装備綴じ具のどちらの綴じ具を供給するかを示す選択供給命令を受け付ける選択供給命令受付部を備えるものであって、前記選択供給命令受付部で受け付けた選択供給命令が、前記印刷対象物に前記装備綴じ具を供給する旨の命令である場合には、前記供給手段に、前記装備綴じ具を供給させる一方、前記選択供給命令受付部で受け付けた選択供給命令が、前記印刷対象物に前記装備綴じ具を供給しない旨の命令である場合には、前記供給手段に、前記非装備綴じ具を供給させるか又はいずれの綴じ具も供給させないようにすればよい。
【発明の効果】
【００３４】
以上に詳述した本発明によれば、印刷内容を印刷する対象物に、記憶部材を装着するので、この記憶部材に記憶している識別情報に基づいて対象物の管理を容易に行うことができる。また、記憶部材に記憶する識別情報と印刷内容とを関連付けて登録管理しているので、この登録したものを参照すれば、記憶部材を装着した印刷済み対象物にどのような印刷内容が印刷されているかを簡単に知ることもできる。そして、登録されている印刷内容と印刷済み対象物に印刷されている印刷内容とが異なっていれば、記憶部材を装着している印刷済み対象物に、問題があることを発見することができる。すなわち、印刷済み対象物の管理を容易に行え、且つ、印刷する印刷内容に対して高い信頼性を与えることが可能な非常に高性能なプリンタを提供することができる。
【発明を実施するための最良の形態】
【００３５】
＜第１実施形態＞
以下、本発明の実施形態について、図１〜図６を参照しながら説明する。
【００３６】
本発明のプリンタＰは、図１に示すように、パーソナルコンピュータ（以下、パソコンＰＣとする。）で作成された文書などの印刷内容を対象物たる用紙Ｓに印刷するための印刷機能を具備するとともに、前記印刷内容の印刷を終えた印刷済み用紙Ｓ１を識別するための識別情報を記憶する記憶部材Ｍ（図２参照）を装着する記憶部材装着機能とを具備したものであって、図３に示すように、入力手段１０１、表示手段１０２、印刷手段１０３、通信手段１０４、記憶部材Ｍを備えた装備綴じ具Ｔ（図２参照）を用紙Ｓに装着する記憶部材装着手段１０５、記憶手段に記憶している識別情報を読み取るための識別情報取得手段１０６、記憶部材Ｍに所定のデータを書き込むための書き込み手段１０７、前記印刷手段１０３と記憶部材装着手段１０５と識別情報取得手段１０６と書き込み手段１０７などの動作を制御する制御手段１０８等を主な構成要素とする。
【００３７】
なお、本実施形態では、記憶部材ＭにＲＦＩＤタグを用いている。このＲＦＩＤタグは、無線通信により非接触で情報の書き込みや読み出しが可能な記録媒体である。また、ＲＦＩＤの方式としては、電磁誘導方式（電磁誘導作用を利用してＲＦＩＤタグに電力を供給しながらＲＦＩＤタグと交信する方式）、マイクロ波方式（マイクロ波帯を用いてＲＦＩＤタグと交信する方式）、光方式（赤外線等の光波を用いてＲＦＩＤタグと交信する方式）、その他を挙げることができるが、本実施形態では、電磁誘導方式を採用している。
【００３８】
また、本実施形態では、プリンタＰとパソコンＰＣとがＬＡＮケーブルＬを介して間接的に接続されるように構成しているが、ＬＡＮケーブルＬを介さずに直接接続されるものであってもよい。
【００３９】
以下、上述の構成要素について具体的に述べる。
【００４０】
入力手段１０１は、該プリンタＰを所定動作させるための操作コマンドを受け付けるものであって、給紙選択ボタン、ジョブキャンセルボタンといった複数の操作ボタン等を備えている。
【００４１】
表示手段１０２は、前記入力手段１０１で受け付けた操作コマンドやエラーメッセージなどを表示するためのものであって、本実施形態では液晶ディスプレイを用いている。
【００４２】
印刷手段１０３は、用紙Ｓに文字、数値、画像などの印刷内容の印刷を行うものである。なお、本実施形態では、該印刷手段１０３に隣接させて、印刷手段１０３に印刷させるための用紙ＳをプリンタＰ外部から引き込む引き込みローラ手段（図示せず）と、印刷手段１０３で印刷を終えた印刷済み用紙Ｓ１をプリンタＰ外部に排出する排出ローラ手段（図示せず）とを備えるように構成している。
【００４３】
通信手段１０４は、パソコンＰＣなどと通信可能に接続するためのものであって、本実施形態では、ＬＡＮボードやＬＡＮカードなどと呼ばれるネットワークカードを用いている。なお、本実施形態では、このネットワークカードに、有線通信機能を有するものを用いたが、無線通信機能を有するものであってもよい。
【００４４】
記憶部材装着手段１０５は、一対のレバーと、これら一対のレバー間に介在させた１又は複数枚の用紙Ｓを綴じ止めるためのコの字型の装備綴じ具Ｔ（図２参照）を打ち出す打針手段とを備えているものであって、後述する装着実行部１４から所定の指示を受けた際に、一のレバーに設けた打針手段により打ち出される記憶部材収容体に収容している装備綴じ具Ｔを、他のレバーに設けた綴じ具受け部で受け止めて、紙綴じ器としての機能を発揮するように構成されている。なお、前記一対のレバー、打針手段、記憶部材収容体及び綴じ具受け部は、プリンタＰ内部に配設しているため、符号を省略している。
【００４５】
識別情報取得手段１０６は、後述する識別情報取得実行部１５から所定の指示を受けた際に、前記記憶部材Ｍに記憶している識別情報を非接触方式にて読み取り可能に動作するものであって、本実施形態では、前記記憶部材Ｍに備えた誘導コイルに誘起電圧を惹起させるためのコイル（アンテナ）を含む無線通信デバイスで構成している。なお、記憶部材Ｍが、光方式のものである場合には、この識別情報取得手段１０６は該記憶部材Ｍと赤外線通信を行うための赤外線デバイスを含むものとなるなど、識別情報取得手段１０６の具体的な態様は、記憶部材Ｍの態様に応じたものとなる。
【００４６】
書き込み手段１０７は、後述する書き込み実行部１７から所定の指示を受けた際に、前記記憶部材Ｍに所定の情報を非接触方式にて書き込み可能に動作するものであって、本実施形態では、前記識別情報取得手段１０６と同様に、前記記憶部材Ｍに備えた誘導コイルに誘起電圧を惹起させるためのコイル（アンテナ）を含む無線通信デバイスで構成している。なお、前記識別情報取得手段１０６と書き込み手段１０７とを一体に構成することを妨げない。
【００４７】
制御手段１０８は、ＣＰＵ１０８ａ、内部メモリ１０８ｂとを具備するとともに、その内部メモリ１０８ｂに記憶されたプログラムにしたがって前記ＣＰＵ１０８ａが作動し、前記印刷手段１０３、記憶部材装着手段１０５、識別情報取得手段１０６、書き込み手段１０７などの動作を制御するための、図４に示すような、印刷内容受付部１１、印刷実行部１２、印刷完了検知部１３、装着実行部１４、識別情報取得実行部１５、データ管理部１６、書き込み実行部１７、第２識別情報取得実行部１８、印刷内容抽出部１９などとしての機能を発揮する。
【００４８】
より具体的には、印刷内容受付部１１は、前記通信手段１０４を介してパソコンＰＣから受信する用紙Ｓに印刷するための印刷内容を受け付けるものである。なお、この印刷内容は、通信手段１０４を介してパソコンＰＣから受け付けるに限らず、フロッピー（登録商標）ディスクやＣＤ−ＲＯＭなどの携帯可能な記憶媒体から受け付けるといった実施態様も考えられる。
【００４９】
印刷実行部１２は、前記印刷手段１０３に対して、前記印刷内容受付部１１で受け付けた印刷内容の用紙Ｓへの印刷の実行をさせるものである。
【００５０】
印刷完了検知部１３は、印刷実行部１２で用紙Ｓへの印刷が完了したか否かを検知するものである。なお、本実施形態では、印刷内容が、複数の用紙Ｓに跨るものであれば、複数の用紙Ｓの全ての印刷が完了した際に、印刷が完了した旨を後述の装着実行部１４に出力するように構成している。
【００５１】
装着実行部１４は、前記印刷完了検知部１３から用紙Ｓへの印刷が完了した旨を受け取った際に、前記記憶部材装着手段１０５に対して、装備綴じ具Ｔの印刷済み用紙Ｓ１への装着の実行をさせるものである。より具体的には、図１に示すように、印刷済み用紙Ｓ１の隅部に１個の装備綴じ具Ｔを装着させるように構成している。このとき、複数の印刷済み用紙Ｓ１の端縁を揃え得る用紙Ｓ揃え手段（図示せず）を具備することによって、複数枚の印刷済み用紙Ｓ１が見栄えよく揃えられるようにしている。また、印刷済み用紙Ｓ１が１枚のものであってもこの装備綴じ具Ｔを装着するように構成している。
【００５２】
識別情報取得実行部１５は、前記識別情報取得手段１０６に対して、前記用紙Ｓへ装着される装備綴じ具Ｔの記憶部材Ｍからその記憶部材Ｍに記憶している識別情報の取得の実行をさせ、その識別情報取得手段１０６で取得した識別情報を受け付けるものである。
【００５３】
データ管理部１６は、前記印刷実行部１２で印刷の実行がされる印刷内容又はその印刷内容に係る情報と前記識別情報取得実行部１５で取得した識別情報とを関連付けて前記内部メモリ１０８ｂの所定領域に登録し管理するものである。なお、前記印刷内容又はその印刷内容に係る情報と前記識別情報取得実行部１５で所得した識別情報とを、該プリンタＰ内の内部メモリ、ネットワーク上に接続される他のパソコンＰＣ又はインターネット上のサーバ装置等に登録し管理するといった実施態様も考えられる。
【００５４】
書き込み実行部１７は、前記書き込み手段１０７に対して、前記データ管理部１６で管理する印刷内容又はその印刷内容に係る情報を、印刷済み用紙Ｓ１に装着させた記憶部材Ｍに書き込むように動作させるものである。ここで、印刷内容に係る情報としては、ファイル名、作成日時、ファイルサイズなどが挙げられる。
【００５５】
第２識別情報取得実行部１８は、前記識別情報取得手段１０６に対して、所定の印刷内容を印刷され且つ記憶部材Ｍが装着された印刷済み用紙Ｓ１のその記憶部材Ｍに記憶している識別情報の取得の実行をさせ、その識別情報取得手段１０６で取得した識別情報を受け付けるものである。
【００５６】
印刷内容抽出部１９は、前記第２識別情報取得実行部１８で取得した識別情報に係る印刷内容を前記データ管理部１６から抽出するものである。
【００５７】
次に、本実施形態のプリンタＰの動作について、図５に示すフロー図等を用いて説明する。
【００５８】
図５は、印刷内容を印刷し、印刷された用紙Ｓに記憶部材Ｍを装着し、装着した記憶部材Ｍから識別情報を取得し、さらに取得した識別情報と印刷内容とを関連付けて登録管理する過程をフロー図で示したものである。
【００５９】
まず、図５に示すように、印刷内容受付部１１がパソコンＰＣから印刷内容を受け付ければ（ステップＳ１０１）、印刷実行部１２が、前記印刷手段１０３に対して、前記印刷内容受付部１１で受け付けた印刷内容の用紙Ｓへの印刷の実行をさせる（ステップＳ１０２）。そして、印刷完了検知部１３が、印刷の完了を検知して（ステップＳ１０３）、印刷が完了した旨を装着実行部１４が受け取ると、その装着実行部１４が、前記記憶部材装着手段１０５に対して、装備綴じ具Ｔの印刷済み用紙Ｓ１への装着の実行をさせる（ステップＳ１０４）。次に、印刷済み用紙Ｓ１への記憶部材Ｍを備えた装備綴じ具Ｔの装着が終わると、識別情報取得実行部１５が、前記識別情報取得手段１０６に対して、前記印刷済み用紙Ｓ１へ装着された装備綴じ具Ｔの記憶部材Ｍからその記憶部材Ｍに記憶している識別情報の取得の実行をさせることにより識別情報を取得する（ステップＳ１０５）。このようにして取得した識別情報と前記印刷内容とを関連付けてデータ管理部１６が登録管理する（ステップＳ１０６）。ところで、印刷内容を記憶部材Ｍに書き込むのであれば（ステップＳ１０７）、書き込み実行部１７が、書き込み手段１０７に対して、前記データ管理部１６で管理する印刷内容又はその印刷内容に係る情報を、前記印刷済み用紙Ｓ１に装着させた記憶部材Ｍに書き込むように動作させる（ステップＳ１０８）。しかして、印刷内容を印刷され且つ記憶部材Ｍを装着された印刷済み用紙Ｓ１が、前記排出ローラ手段によってプリンタＰ外部に排紙される（ステップＳ１０９）。
【００６０】
以上に詳述したように、本実施形態のプリンタＰは、印刷内容を印刷する用紙Ｓに、記憶部材Ｍを備えた装備綴じ具Ｔで綴じるようにして装着するので、この記憶部材Ｍに記憶している識別情報に基づいて綴じた印刷済み用紙Ｓ１の管理を容易に行うことができる。また、記憶部材Ｍに記憶する識別情報と印刷内容とを関連付けて登録管理しているので、この登録したものを参照すれば、記憶部材Ｍを装着している綴じた印刷済み用紙Ｓ１にどのような印刷内容が印刷されているかを簡単に知ることもできる。そして、登録されている印刷内容と綴じた印刷済み用紙Ｓ１に印刷されている印刷内容とが異なっていれば、記憶部材Ｍを装着している綴じた印刷済み用紙Ｓ１に、問題があることを発見することができる。すなわち、印刷済みの綴じた印刷済み用紙Ｓ１の管理を容易に行え、且つ、印刷する印刷内容に対して信頼性を与えることが可能な非常に高性能なプリンタＰを実現することができる。
【００６１】
また、印刷内容を示す元データを記憶部材Ｍに記憶することができるので、印刷済み用紙Ｓ１を、より信頼性が求められ且つ改変されないことが必要なものとすることができる。
【００６２】
また、識別情報取得手段１０６を、記憶部材Ｍに所定の情報を非接触方式にて書き込み可能に動作する無線通信デバイスで構成しているので、プリンタＰへの組み込みの設計自由度が、接触方式のものと比べ格段に向上する。
【００６３】
なお、本実施形態では、記憶部材Ｍを装備綴じ具Ｔに備えるように構成しているが、用紙Ｓなどの対象物に装着できるものであればこれに限られるものでない。例えば、記憶部材Ｍを、対象物に貼り付け可能なシールに備えたものが挙げられる。
【００６４】
また、本実施形態では、識別情報取得実行部１５が、前記識別情報取得手段１０６に識別情報の取得の実行をさせるときを、印刷済み用紙Ｓ１への記憶部材Ｍを備えた装備綴じ具Ｔの装着が終わったときとしているが、装着中に取得したり、あるいは装着前に取得するようにしてもよい。
【００６５】
ところで、上述のように、印刷内容を印刷され且つ記憶部材Ｍが装着された印刷済み用紙Ｓ１を、該プリンタＰの所定場所に位置付ければ、その印刷済み用紙Ｓ１に印刷された印刷内容が、新たな用紙Ｓに印刷されてプリンタＰより排紙されるようにすることもできる。ここで、前記所定場所とは、記憶部材Ｍの構成にもよるが、本実施形態のように、記憶部材Ｍが電磁誘導方式のＲＦＩＤタグであれば、前記識別情報取得手段１０６近傍にその記憶部材Ｍを近づければよい。
【００６６】
このときのプリンタＰの動作を具体的に示すと、図６に示すように、印刷済み用紙Ｓ１が識別情報取得手段１０６近傍に位置付けられることにより前記第２識別情報取得実行部１８が動作して、該第２識別情報取得実行部１８が前記識別情報取得手段１０６に対して、印刷済み用紙Ｓ１に装着された装備綴じ具Ｔの記憶部材Ｍに記憶している識別情報の取得の実行をさせることにより識別情報を取得すると（ステップＳ１１０）、前記印刷内容抽出部１９がその識別情報に係る印刷内容をデータ管理部１６から抽出し（ステップＳ１１１）、抽出した印刷内容を印刷内容受付部１１に出力する（ステップＳ１１２）。以下、上述のステップＳ１０１〜Ｓ１０９のようにして、印刷済み用紙Ｓ１に印刷された印刷内容が、新たな用紙Ｓに印刷されてプリンタＰより排紙されることとなる。
【００６７】
以上のように、印刷済み用紙Ｓ１をプリンタＰにかざすといったワンアクションによって、いとも簡単に同じ印刷内容が印刷された印刷済み用紙Ｓ１を新たに生成することができる。
【００６８】
また、一の識別情報に、一の印刷内容と他の印刷内容とを関連付けてデータ管理部１６で登録管理するように構成すると、一の印刷内容が印刷された印刷済み用紙Ｓ１をプリンタＰにかざせば、一又は他の印刷内容のうちいずれか一方又は両方同時に新たな用紙Ｓに印刷させることも可能となる。
＜第２実施形態＞
以下、本発明の他の実施形態について、図７〜図９等を参照しながら説明する。なお、特に説明なきもので、且つ、第１実施形態と同一の名称及び符号が与えられているものは、第１実施形態と同一の構成及び機能を有するものとする。
【００６９】
本発明のプリンタＰは、第１実施形態のものと同様、パソコンＰＣで作成された文書などの印刷内容を対象物たる用紙Ｓに印刷するための印刷機能を具備するとともに、前記印刷内容の印刷を終えた印刷済み用紙Ｓ１を識別するための図２に示すような識別情報を記憶する記憶部材Ｍを装着する記憶部材装着機能とを具備したものである。そして、図７に示すように、入力手段１０１、表示手段１０２、印刷手段１０３、通信手段１０４、記憶部材Ｍを備えた装備綴じ具Ｔを用紙Ｓに装着する記憶部材装着手段１０５、記憶部材Ｍに所定のデータを書き込むための書き込み手段１０７、前記印刷手段１０３と記憶部材装着手段１０５と書き込み手段１０７などの動作を制御する制御手段１０８等を主な構成要素とする。記憶部材Ｍには、第１実施形態と同様のＲＦＩＤを用いている。
【００７０】
以下、上述の構成要素について具体的に述べるが、入力手段１０１、表示手段１０２、印刷手段１０３、通信手段１０４、記憶部材装着手段１０５、書き込み手段１０７については、第１実施形態と同様のものであるため説明を省略する。
【００７１】
制御手段１０８は、ＣＰＵ１０８ａ、内部メモリ１０８ｂとを具備するとともに、その内部メモリ１０８ｂに記憶されたプログラムにしたがって前記ＣＰＵ１０８ａが作動し、図８に示すように、前記印刷手段１０３、記憶部材装着手段１０５、識別情報取得手段１０６、書き込み手段１０７などの動作を制御するための印刷内容受付部１１、印刷実行部１２、印刷完了検知部１３、装着実行部１４、書き込み実行部１７などとしての機能を発揮する。
【００７２】
以下、各部を詳述するが、印刷内容受付部１１、印刷実行部１２、印刷完了検知部１３、装着実行部１４については、第１実施形態と同様のものであるため説明を省略する。
【００７３】
書き込み実行部１７は、前記書き込み手段１０７に対して、前記印刷内容受付部１１で受け付けた印刷内容又はその印刷内容に係る情報を、前記印刷済み用紙Ｓ１に装着させた記憶部材Ｍに書き込むように動作させるものである。ここで、印刷内容に係る情報としては、ファイル名、作成日時、ファイルサイズなどが挙げられる。
【００７４】
次に、本実施形態のプリンタＰの動作について、図９に示すフロー図等を用いて説明する。
【００７５】
図９は、印刷内容を印刷し、その印刷内容を記憶部材Ｍに記憶する過程をフロー図で示したものである。
【００７６】
まず、図９に示すように、印刷内容受付部１１がパソコンＰＣから印刷内容を受け付ければ（ステップＳ２０１）、印刷実行部１２が、前記印刷手段１０３に対して、前記印刷内容受付部１１で受け付けた印刷内容の用紙Ｓへの印刷の実行をさせる（ステップＳ２０２）。そして、印刷完了検知部１３が、印刷の完了を検知して（ステップＳ２０３）、印刷が完了した旨を装着実行部１４が受け取ると、その装着実行部１４が、前記記憶部材装着手段１０５に対して、装備綴じ具Ｔの印刷済み用紙Ｓ１への装着の実行をさせる（ステップＳ２０４）。さらに、書き込み実行部１７が、書き込み手段１０７に対して、前記印刷内容受付部１１で受け付けた印刷内容又はその印刷内容に係る情報を、前記印刷済み用紙Ｓ１に装着させた記憶部材Ｍに書き込むように動作させる（ステップＳ２０５）。しかして、印刷内容を印刷され且つ記憶部材Ｍを装着された印刷済み用紙Ｓ１が、前記排出ローラ手段によって、図１に示すように、プリンタＰ外部に排紙される（ステップＳ２０６）。
【００７７】
以上に詳述したように、本実施形態のプリンタＰは、印刷内容を印刷する用紙Ｓに、記憶部材Ｍを備えた装備綴じ具Ｔで綴じるようにして装着するとともに、印刷内容又はその印刷内容に係る情報をその記憶部材Ｍに記憶させるので、この記憶部材Ｍに記憶させた印刷内容又はその印刷内容に係る情報に基づいて綴じた印刷済み用紙Ｓ１の管理を容易に行うことができる。また、記憶部材Ｍに記憶させた印刷内容又はその印刷内容に係る情報と綴じた印刷済み用紙Ｓ１に印刷されている印刷内容とが異なっていれば、記憶部材Ｍを装着している綴じた印刷済み用紙Ｓ１に、問題があることを発見することができる。このように、綴じた印刷済み用紙Ｓ１の管理を容易に行え、且つ、印刷する印刷内容に対して高い信頼性を与えることが可能な非常に高性能なプリンタＰを実現することができる。
【００７８】
なお、該プリンタＰのハードウエアを図１０に示すように構成するとともに、制御手段１０８を、図１１に示すような機能を発揮するように構成しても、記憶部材Ｍを装着させているので印刷済み用紙Ｓ１の管理を容易に行うことができる。
＜第３実施形態＞
以下、図１２〜図１７を参照しながら、本発明の他の実施形態である、対象物の枚数に応じて異なる大きさの綴じ具で綴じるタイプのプリンタについて説明を行うが、この説明を、（１）綴じ具がステープルの場合と（２）綴じ具がダブルクリップの場合とに分けて行う。また、特に説明なきもので、且つ、第１実施形態と同一の名称及び符号が与えられているものは、第１実施形態と同一の構成及び機能を有するものとする。
（１）綴じ具が、異なる大きさを有するステープルの場合
本発明のプリンタＰは、第１実施形態のものと同様、パソコンＰＣで作成された文書などの印刷内容を対象物たる用紙Ｓに印刷するための印刷機能を具備している。そして、該プリンタＰは、前記用紙Ｓに、その用紙Ｓの枚数に応じて異なる綴じ具たるステープルを装着するステープル装着機能をさらに具備している。なお、本実施形態では、前記ステープルに識別情報を記憶する記憶部材Ｍを一体的に装備させ、これを装備綴じ具たる装備ステープルと称している。また、本実施形態では、図１２に示すように、大きさ（高さ寸法Ｈ及び幅寸法Ｗなど）の異なる３種類の第１装備ステープルＴ１、第２装備ステープルＴ２及び第３装備ステープルＴ３を選択的に装着し得るように構成している。
【００７９】
そして、図１３に示すように、入力手段１０１、表示手段１０２、印刷手段１０３、通信手段１０４、前記ステープル装着機能を有する供給手段たる綴じ具供給手段１０５ａ、前記印刷手段１０３と綴じ具供給手段１０５ａなどの動作を制御する制御手段１０８等を主な構成要素とする。記憶部材Ｍには、第１実施形態と同様のＲＦＩＤを用いている。
【００８０】
以下、上述の構成要素について具体的に述べるが、入力手段１０１、表示手段１０２、印刷手段１０３、通信手段１０４については、第１実施形態と同様のものであるため説明を省略する。
【００８１】
綴じ具供給手段１０５ａは、前記３種類の第１装備ステープルＴ１、第２装備ステープルＴ２及び第３装備ステープルＴ３（以下、装備ステープルＴと総称する。）で、印刷済み用紙Ｓ１を綴じるための第１打針手段、第２打針手段及び第３打針手段を備えている。なお、これら第１打針手段乃至第３打針手段（以下、打針手段と総称する。）は、第１実施形態の打針手段と同様の構成を有してなる。また、前記装備ステープルＴを収容する収容体たるステープル収容体と、前記打針手段とは、該プリンタＰ内部に配設しているため符号を省略している。
【００８２】
制御手段１０８は、ＣＰＵ１０８ａ、内部メモリ１０８ｂとを具備するとともに、その内部メモリ１０８ｂに記憶されたプログラムにしたがって前記ＣＰＵ１０８ａが作動し、図１４に示すように、印刷内容受付部１１、印刷実行部１２、印刷完了検知部１３、印刷枚数取得部２１、装着実行部１４などとしての機能を発揮する。
【００８３】
以下、各部を詳述するが、印刷内容受付部１１、印刷実行部１２、印刷完了検知部１３については、第１実施形態と同様のものであるため説明を省略する。
【００８４】
印刷枚数取得部２１は、印刷内容受付部１１から印刷済み用紙Ｓ１の枚数を取得するものである。具体的に、上述の枚数を取得する方法としては、印刷内容受付部１１で受け付けた印刷内容に含まれている情報から総ページ数を取得するものが挙げられるがこれに限られるものではない。また、取得するタイミングは、前記印刷内容の印刷前、印刷中、印刷後のいずれであってもよい。さらに、機械的なカウンターで印刷枚数をカウントし、枚数を取得することもできる。
【００８５】
装着実行部１４は、前記印刷完了検知部１３から用紙Ｓへの印刷が完了した旨を受け取った際に、前記綴じ具供給手段１０５ａに対して、３種類の装備ステープルＴのうち所定の装備ステープルＴの印刷済み用紙Ｓ１への装着の実行をさせるものである。より具体的には、印刷済み用紙Ｓ１の隅部に、前記印刷枚数取得部２１で取得した枚数に基づいて、３種類の装備ステープルＴから１個の装備ステープルを選択し、これを装着させるように構成している。より具体的に、本実施形態では、印刷済み用紙Ｓの総枚数が、所定枚数未満であれば第１装備ステープルＴ１を装着し、所定枚数以上且つ所定枚数の２倍未満であれば第２装備ステープルＴ２を装着し、所定枚数の２倍以上であれば第３装備ステープルＴ３を装着するように構成している。なお、前記枚数と装着する装備ステープルＴとを対応させる方法はこれに限られるものではない。また、第１実施形態と同様に、複数の印刷済み用紙Ｓ１の端縁を揃え得る用紙Ｓ揃え手段（図示せず）を具備することによって、複数枚の印刷済み用紙Ｓ１が見栄えよく揃えられるようにしている。また、印刷済み用紙Ｓ１が１枚のものであっても大きさの一番小さな第１装備ステープルＴ１を装着するように構成している。
【００８６】
次に、本実施形態のプリンタＰの動作について、図１５に示すフロー図等を用いて説明する。
【００８７】
図１５は、印刷内容を印刷し、印刷済み用紙Ｓ１に、総枚数に応じた装備ステープルＴを装着する過程をフロー図で示したものである。
【００８８】
まず、図１５に示すように、印刷内容受付部１１がパソコンＰＣから印刷内容を受け付ければ（ステップＳ３０１）、印刷実行部１２が、前記印刷手段１０３に対して、前記印刷内容受付部１１で受け付けた印刷内容の用紙Ｓへの印刷の実行をさせる（ステップＳ３０２）。そして、印刷完了検知部１３が、印刷の完了を検知して（ステップＳ３０３）、印刷が完了した旨を印刷枚数取得部２１を受け取ると、印刷内容受付部１１から印刷済み用紙Ｓ１の総枚数を取得し（ステップＳ３０４）、装着実行部１４が綴じ具供給手段１０５ａに対して、３種類の装備ステープルＴのうち所定の装備ステープルＴの印刷済み用紙Ｓ１への装着の実行をさせる（ステップＳ３０５）。しかして、印刷内容を印刷され且つ記憶部材Ｍを装着された印刷済み用紙Ｓ１が、前記排出ローラ手段によってプリンタＰ外部に排紙される（ステップＳ３０６）。
【００８９】
以上に詳述したように、本実施形態のプリンタＰは、印刷内容を印刷した印刷済み用紙Ｓ１を、その総枚数に応じた装備ステープルＴで綴じることができる。そして、この装備ステープルＴには記憶部材Ｍを装備させているので、その記憶部材Ｍに記憶している識別情報に基づいて綴じた印刷済み用紙Ｓ１の管理を容易に行うことができる。
【００９０】
ところで、本実施形態において、装備綴じ具たる装備ステープルを、ステープルに識別情報を記憶する記憶部材Ｍを一体的に装備させたものとしているが、ステープルに識別情報を記憶する記憶部材Ｍを半一体的に装備させたものとしてもよい。
【００９１】
具体的には、図２８に示すように、記憶部材Ｍを他の部材たる媒体取付部材ＺＺに設け、この媒体取付部材ＺＺをステープルＳＳＳを利用して紙葉類に付与すべく供給し得るように構成したものが挙げられる。ここで、媒体取付部材ＺＺを、複数のピースＺＺ１、ＺＺ２・・・、からなるものとし、これら各ピースＺＺ１、ＺＺ２、・・・をそれぞれ分離させて紙葉類に取り付け可能に構成しているが、これに限られるものではない。
【００９２】
なお、このプリンタＰに、第１実施形態で説明した識別情報取得手段１０６と書き込み手段１０７とをさらに設けるとともに、前記制御手段を、識別情報取得実行部１５、データ管理部１６、書き込み実行部１７、第２識別情報取得実行部１８、印刷内容抽出部１９などとしての機能をさらに発揮するように構成してもよい。
（２）綴じ具が、異なる大きさを有するダブルクリップの場合
綴じ具供給手段１０５ａを、ステープル装着手段を有するものとしているが、ダブルクリップを装着するダブルクリップ装着手段を有するものとして構成することにより、印刷済み用紙Ｓ１に装備ダブルクリップを装着させることができる。
【００９３】
すなわち、綴じ具供給手段１０５ａを、図１６に示すように、記憶部材を装備し且つ大きさが異なる３種類の第１装備ダブルクリップＣＬ１、第２装備ダブルクリップＣＬ２及び第３装備ダブルクリップＣＬ３（以下、装備ダブルクリップＣＬと総称する。）を、それぞれ印刷済み用紙Ｓ１に装着するための第１ダブルクリップ装着手段、第２ダブルクリップ装着手段及び第３ダブルクリップ装着手段（以下、ダブルクリップ装着手段と総称する。）を備えるように構成する。
【００９４】
具体的なダブルクリップ装着手段としては、例えば、図１７に示すように、装備ダブルクリップＣＬを縦列をなして略密に装填するようにしているクリップ収容体ＣＡと、一方向へスライド動作することにより装備ダブルクリップＣＬをクリップ供給口ＣＡ１から供給するクリップ供給手段（図示せず）とを少なくとも備えるものが挙げられる。
【００９５】
より具体的には、前記クリップ収容体ＣＡは、その内法ＣＡＨが、クリップ供給口ＣＡ１に向かってその高さ寸法ＣＬＨが漸次小さくなる形状を有するように構成する。また、クリップ供給手段は、クリップ収容体ＣＡ内の装備ダブルクリップＣＬを、図１７の矢印方向、すなわちクリップ供給口ＣＡ１に向かう方向に押圧するように構成する。このように構成したダブルクリップ装着手段において、クリップ供給手段が、クリップ収容体ＣＡ内の装備ダブルクリップＣＬをクリップ供給口ＣＡ１に向かう方向に押圧すると、装備ダブルクリップＣＬのつまみ部ＣＬａがクリップ収容体ＣＡの内壁ＣＡＸに案内されて相寄る方向に移動し、該装備ダブルクリップＣＬに用紙Ｓが挟み込むことが可能な状態になる。そしてさらに、装備ダブルクリップＣＬがクリップ供給口ＣＡ１に向かう方向に押圧されると、該装備ダブルクリップＣＬがこのクリップ収容体ＣＡのクリップ供給口ＣＡ１から完全に供給されて弾性変形し、該装備ダブルクリップＣＬにより用紙Ｓを綴じ込むことができる。
【００９６】
そして、装着実行部１４を、前記印刷完了検知部１３から用紙Ｓへの印刷が完了した旨を受け取った際に、前記綴じ具供給手段１０５ａに対して、３種類の装備ダブルクリップＣＬのうち所定の装備ダブルクリップＣＬの印刷済み用紙Ｓ１への装着の実行をさせるように構成する。より具体的には、印刷済み用紙Ｓ１の隅部に、前記印刷枚数取得部２１で取得した枚数に基づいて、３種類の装備ダブルクリップＣＬから１個の装備ダブルクリップＣＬを選択し、これを装着させるように構成する。なお、本実施形態では、印刷済み用紙Ｓの総枚数が、所定枚数未満であれば第１装備ダブルクリップＣＬ１を装着し、所定枚数以上且つ所定枚数の２倍未満であれば第２装備ダブルクリップＣＬ２を装着し、所定枚数の２倍以上であれば第３装備ダブルクリップＣＬ３を装着するように構成している。なお、枚数と装着する装備ダブルクリップＣＬとを対応させる方法はこれに限られるものではない。また、第１実施形態と同様に、複数の印刷済み用紙Ｓ１の端縁を揃え得る用紙Ｓ揃え手段（図示せず）を具備することによって、複数枚の印刷済み用紙Ｓ１が見栄えよく揃えられるようにしている。また、印刷済み用紙Ｓ１が１枚のものであっても、綴じ得る枚数の一番少ない第１装備ダブルクリップＣＬ１を装着するように構成している。
【００９７】
このように、綴じ具供給手段１０５ａと装着実行部１４とを、上述の構成とすれば、印刷済み用紙Ｓ１に装備ステープルＴを装着させるのと同様にして、装備ダブルクリップＣＬを装着させることができる。
【００９８】
なお、本実施形態では、印刷済み用紙Ｓ１を装備ダブルクリップＣＬにより綴じ込むように構成しているが、綴じ込まずに装備ダブルクリップＣＬを単体で供給するようにしてもよい。
【００９９】
また、装備綴じ具は、装備ステープルＴや装備ダブルクリップＣＬに限られるものではなく、印刷済み用紙Ｓ１を綴じ得るものであれば、例えば、紐体に記憶部材を装備した装備紐体（図示せず）であってもよい。また、この装備紐体は、印刷済み用紙Ｓ１を綴じた状態で外部に供給するようにしてもよいし、あるいは、綴じない状態で外部に供給するようにしてもよい。
【０１００】
また、本実施形態では、印刷枚数取得部２１で取得した印刷済み用紙Ｓ１の枚数に応じた装備ステープルＴ１や装備ダブルクリップＣＬで、印刷済み用紙Ｓ１を綴じるように構成しているが、印刷済み用紙Ｓ１の厚みに応じた装備ステープルＴ１や装備ダブルクリップＣＬで、印刷済み用紙Ｓ１を綴じるように構成することもできる。
【０１０１】
具体的には、前記制御手段１０８に、印刷済み用紙Ｓ１の厚みを測定して取得する厚み取得部（図示せず）を備え、前記装着実行部１４が、前記綴じ具供給手段１０５ａに、前記記憶部材収容体に収容している複数の装備ステープルＴ１や装備ダブルクリップＣＬのうち、前記厚み取得部で取得された厚みに応じた所定の装備ステープルＴ１や装備ダブルクリップＣＬで複数枚の印刷済み用紙Ｓ１を綴じるようにして装着させればよい。このとき、前記厚み取得部が、複数の印刷済み用紙Ｓ１の総厚みを一度に測定して取得するようにすれば、装備ステープルＴ１や装備ダブルクリップＣＬの選択の正確さが増し、また、厚みの測定にかかる時間を省略することができる。
【０１０２】
なお、用紙Ｓの材質や硬さなどから、所定の装備ステープルＴ１や装備ダブルクリップＣＬを選択するようにしてもよい。
【０１０３】
また、印刷済み用紙Ｓ１の枚数が多ければ、装備ダブルクリップＣＬを装着し、少なければ装備ステープルＴ１を装着するといった態様や、その逆の態様も考えられる。
＜第４実施形態＞
ところで、印刷済み用紙Ｓ１に供給する部材を、第３実施形態で説明した装備ステープルＴや装備ダブルクリップＣＬあるいは装備紐体などの装備綴じ具に替えて、印刷済み用紙Ｓ１に貼り付け可能な貼付部材で構成することもできる。
【０１０４】
以下、本発明の他の実施形態である貼付部材を対象物たる用紙Ｓに貼り付け可能なプリンタについて、図１８〜図２２等を参照しながら説明する。なお、特に説明なきもので、且つ、第３実施形態と同一の名称及び符号が与えられているものは、第３実施形態と同一の構成及び機能を有するものとする。
【０１０５】
本発明のプリンタＰは、第３実施形態のものと同様、パソコンＰＣで作成された文書などの印刷内容を対象物たる用紙Ｓに印刷するための印刷機能を具備している。そして、該プリンタＰは、図１８に示すように、前記印刷内容の印刷を終えた印刷済み用紙Ｓ１を識別するための識別情報を記憶する記憶部材Ｍを装備した装備貼付部材たる装備シールＳＲＭを用紙Ｓに貼付するシール貼付機能を具備したものである。なお、本実施形態では、上述のように記憶部材Ｍを装備した装備シールＳＲＭと、記憶部材Ｍを装備しない非装備シールＳＲＮとを選択的に貼付し得るように構成している。
【０１０６】
そして、図１９に示すように、入力手段１０１、表示手段１０２、印刷手段１０３、通信手段１０４、前記シール貼付機能を有する供給手段たるシール供給手段１０５ｂ、前記印刷手段１０３とシール供給手段１０５ｂなどの動作を制御する制御手段１０８等を主な構成要素とする。記憶部材Ｍには、第１実施形態と同様のＲＦＩＤを用いている。
【０１０７】
以下、上述の構成要素について具体的に述べるが、入力手段１０１、表示手段１０２、印刷手段１０３、通信手段１０４については、第３実施形態と同様のものであるため説明を省略する。
【０１０８】
シール供給手段１０５ｂは、複数の装備シールＳＲＭと非装備シールＳＲＮ（以下、シールＳＲと総称する。）とを収容する収容体たるシール収容体と、このシール収容体に収容しているシールＳＲをシール供給口（図示せず）から取り出して用紙Ｓに貼り付けるシール供給手段とを少なくとも備えている。
【０１０９】
より具体的に各部を説明すると、前記シール収容体は、図２０に示すように、所定軸回りに回動可能な円盤状の回動部材ＳＳ１を回動可能に支持する支持部ＳＳ２を備えている。そして、前記回動部材ＳＳ１には、前記装備シールＳＲＭを剥離可能に設けた帯状の剥離部材ＳＴ１を外周部に巻き付けてなる。また、図示はしていないが、同様の構成を有する他の回動部材には、非装備シールＳＲＮを設けている。一方、シール供給手段は、前記シールＳＲを剥離部材ＳＴ１から剥がす剥離手段（図示せず）と、前記剥離手段により剥離部材ＳＴ１から剥がされたシールＳＲを用紙Ｓに貼り付ける貼付手段（図示せず）とを備えている。
【０１１０】
制御手段１０８は、ＣＰＵ１０８ａ、内部メモリ１０８ｂとを具備するとともに、その内部メモリ１０８ｂに記憶されたプログラムにしたがって前記ＣＰＵ１０８ａが作動し、図２１に示すように、前記印刷手段１０３、シール供給手段１０５ｂなどの動作を制御するための印刷内容受付部１１、印刷実行部１２、印刷状態検知部１３ａ、選択供給命令受付部２２、供給実行部１４ａなどとしての機能を発揮する。
【０１１１】
以下、各部を詳述するが、印刷内容受付部１１、印刷実行部１２については、第３実施形態と同様のものであるため説明を省略する。
【０１１２】
印刷状態検知部１３ａは、前記印刷実行部１２における前記対象物たる用紙Ｓへの印刷状態を検知するものである。
【０１１３】
選択供給命令受付部２２は、前記印刷済み用紙Ｓ１に、前記装備シールＳＲＭ及び前記非装備シールＳＲＮのうちどちらのシールＳＲを貼付するかを示す選択供給命令を受け付けるものであって、前記入力手段１０１などを利用して構成している。なお、本実施形態では、選択供給命令には、デフォルト値として装備シールＳＲＭを貼付する命令を設定しており、選択供給命令を新たに受け付けることがなければ、このデフォルト値を採用するように構成している。
【０１１４】
供給実行部１４ａは、前記印刷状態検知部１３ａで検知する印刷状態に係る所定のタイミングで、前記シール供給手段１０５ｂにシールＳＲの貼付の実行をさせるものである。このとき、前記選択供給命令受付部２２で受け付けた選択供給命令に応じて、装備シールＳＲＭあるいは非装備シールＳＲＮを貼付するように構成している。
【０１１５】
次に、本実施形態のプリンタＰの動作について、図２２に示すフロー図等を用いて説明する。
【０１１６】
図２２は、印刷内容を印刷し、用紙Ｓに、シールＳＲを貼付する過程をフロー図で示したものである。
【０１１７】
まず、図２２に示すように、印刷内容受付部１１がパソコンＰＣから印刷内容を受け付ければ（ステップＳ４０１）、印刷実行部１２が、前記印刷手段１０３に対して、前記印刷内容受付部１１で受け付けた印刷内容の用紙Ｓへの印刷の実行をさせる（ステップＳ４０２）。そして、印刷状態検知部１３ａが、印刷の完了を検知した際に（ステップＳ４０３）、デフォルト設定されている選択供給命令（例えば、装備シールＳＲＭを貼付する命令）と異なる選択供給命令（例えば、非装備シールＳＲＮを貼付する命令）を受け付けたのであれば（ステップＳ４０４）、その旨を選択供給命令受付部２２で受け付け採用する（ステップＳ４０５）一方、デフォルトと異なる選択供給命令を受け付けなければ（ステップＳ４０４）、デフォルト指定の選択供給命令を採用する（ステップＳ４０６）。このようにして採用した選択供給命令に基づき、供給実行部１４ａがシール供給手段１０５ｂに対して、所定のシールＳＲの印刷済み用紙Ｓ１への装着の実行をさせる（ステップＳ４０７）。なお、本実施形態では、最後に印刷される印刷済み用紙Ｓ１にのみシールＳＲが貼付されるようにしている。しかして、印刷内容を印刷され且つ装備シールＳＲＭが貼付された印刷済み用紙Ｓ１が他の印刷済み用紙Ｓ１とともに、前記排出ローラ手段によってプリンタＰ外部に排紙される（ステップＳ４０８）。
【０１１８】
以上に詳述したように、本実施形態のプリンタＰは、印刷内容を印刷した印刷済み用紙Ｓ１を、装備シールＳＲＭまたは非装備シールＳＲＮのいずれかを選択して貼付することができる。このため、管理を行いたい印刷済み用紙Ｓ１にのみ装備シールＳＲＭを貼付して、これを好適に管理することができる。
【０１１９】
なお、本実施形態では、全ての用紙Ｓを印刷した後に、最後に印刷された印刷済み用紙Ｓ１にのみシールＳＲを貼付するように構成しているが、全ての印刷済み用紙Ｓ１にシールＳＲを貼付するようにしても構わない。また、シールＳＲを貼付するタイミングは、印刷後に限らず、印刷前や印刷中など任意に設定することができる。
【０１２０】
また、選択供給命令受付部２２を、装備シールＳＲＭまたは非装備シールＳＲＮのいずれも印刷済み用紙Ｓ１に貼付しない命令を受け付けるようにしてもよい。
【０１２１】
また、シール供給手段を、シールＳＲを剥離部材ＳＴ１から剥がさない状態で、印刷済み用紙Ｓ１に直接貼付することを目的に供給するように構成してもよい。この場合、剥離部材ＳＴ１から剥がされていないシールＳＲを、印刷済み用紙Ｓ１に貼り付けられない状態で印刷済み用紙Ｓ１に直接貼付することを目的に供給してもよいし、剥離部材ＳＴ１から剥がされていないシールＳＲを、ステープルで印刷済み用紙に綴じた状態で供給するようにしてもよい。
【０１２２】
さらに、装備シールＳＲＭを貼付した印刷済み用紙Ｓ１を、ステープルで綴じて外部に排紙するようにしてもよい。
【０１２３】
なお、シールは、剥離部材を備えないものでもよい。また、剥離部材を備えない状態でロール状に巻いたものも挙げられる。そして、切り取りやすいように所定間隔毎にミシン目を入れて構成することもできる。
【０１２４】
またさらに、記憶部材を一体的に備えた薄板状の装備薄板たる装備カードを、装備シールＳＲＭに替えて印刷済み用紙Ｓ１とともに外部に提供するようにしてもよい。
【０１２５】
この場合には、前記装備カードを収容する収容体たるカード収容体をプリンタＰ内部に配設しておき、供給手段を、前記カード収容体に収容している装備カードを、記憶部材Ｍを非装備綴じ具で印刷済み用紙Ｓ１と一体的に綴じた状態で供給、又は前記非装備綴じ具で印刷済み用紙Ｓ１と一体的に綴じない状態で外部に供給するように構成すればよい。
＜第５実施形態＞
以下、本発明の他の実施形態について、図２３〜図２７等を参照しながら説明する。なお、特に説明なきもので、且つ、第１実施形態と同一の名称及び符号が与えられているものは、第１実施形態と同一の構成及び機能を有するものとする。
【０１２６】
本発明のプリンタＰは、図２３に示すように、第１のハウジングＨＡと第２のハウジングＨＢとを具備してなる。
【０１２７】
そして、該プリンタＰは、作成された文書などの印刷内容を印刷する印刷機能と、前記印刷内容の印刷を終えた印刷済み用紙Ｓ１を識別するための識別情報を記憶する記憶部材Ｍ（図２参照）を装着する記憶部材装着機能とを発揮するものであって、図２４に示すように、前記第１のハウジングＨＡ内に収容される入力手段１０１、表示手段１０２、印刷手段１０３、第１通信手段１０４ａ、記憶部材Ｍを備えた装備綴じ具Ｔを用紙Ｓに装着する記憶部材装着手段１０５、記憶手段に記憶している識別情報を読み取るための識別情報取得手段１０６、記憶部材Ｍに所定のデータを書き込むための書き込み手段１０７、前記印刷手段１０３と記憶部材装着手段１０５と識別情報取得手段１０６と書き込み手段１０７などの動作を制御する第１制御手段１０８Ｘと、前記第２のハウジングＨＢ内に収容される第２通信手段１０４ｂ、所定のデータを格納可能な格納手段１０９、第２制御手段１０８Ｙ等を主な構成要素とする。
【０１２８】
また、記憶部材Ｍには、第1実施形態と同様のＲＦＩＤタグを用いている。
【０１２９】
以下、上述の構成要素について具体的に述べる。
【０１３０】
入力手段１０１、表示手段１０２、印刷手段１０３、記憶部材装着手段１０５、識別情報取得手段１０６、書き込み手段１０７については、第1実施形態と同様のものであるため、説明を省略する。
【０１３１】
第1通信手段１０４ａは、第２のハウジングＨＢ内の第２通信手段１０４ｂなどと通信可能に接続するためのものであって、本実施形態では、ＬＡＮボードやＬＡＮカードなどと呼ばれるネットワークカードを用いている。なお、本実施形態では、このネットワークカードに、有線通信機能を有するものを用いたが、無線通信機能を有するものであってもよい。
【０１３２】
第１制御手段１０８Ｘは、ＣＰＵ１０８ａ、内部メモリ１０８ｂとを具備するとともに、その内部メモリ１０８ｂに記憶されたプログラムにしたがって前記ＣＰＵ１０８ａが作動し、前記印刷手段１０３、記憶部材装着手段１０５、識別情報取得手段１０６、書き込み手段１０７などの動作を制御するための、図２５に示すような、印刷内容受付部１１、印刷実行部１２、印刷完了検知部１３、装着実行部１４、識別情報取得実行部１５、利用レベル設定受付部３０、印刷内容データ受付部１６ａ、識別情報データ受付部１６ｂ、利用レベルデータ受付部１６ｃ、受付データ送信部１６ｄ、書き込み実行部１７、第２識別情報取得実行部１８、印刷内容抽出部１９、コメント受付部１１ａ、証明付与命令受付部１１ｂなどとしての機能を発揮する。なお、前記印刷内容データ受付部１６ａ、識別情報データ受付部１６ｂ、利用レベルデータ受付部１６ｃ、および受付データ送信部１６ｄがデータ管理部１６の一部を構成している。
【０１３３】
より具体的には、印刷内容受付部１１は、前記第１通信手段１０４ａを介して後述する印刷内容送信部４０から送信される印刷内容を受け付けるものであって、前記第１通信手段１０４ａ等を利用して構成している。
【０１３４】
印刷実行部１２は、前記印刷手段１０３に対して、前記印刷内容受付部１１で受け付けた印刷内容の用紙Ｓへの印刷の実行をさせるものである。
【０１３５】
印刷完了検知部１３は、印刷実行部１２で用紙Ｓへの印刷が完了したか否かを検知するものである。なお、本実施形態では、印刷内容が、複数の用紙Ｓに跨るものであれば、複数の用紙Ｓの全ての印刷が完了した際に、印刷が完了した旨を後述の装着実行部１４に出力するように構成している。
【０１３６】
装着実行部１４は、前記印刷完了検知部１３から用紙Ｓへの印刷が完了した旨を受け取った際に、前記記憶部材装着手段１０５に対して、装備綴じ具Ｔの印刷済み用紙Ｓ１への装着の実行をさせるものである。この装着方法は、第１実施形態と同様であるので説明を省略する。
【０１３７】
識別情報取得実行部１５は、前記識別情報取得手段１０６に対して、前記用紙Ｓへ装着される装備綴じ具Ｔの記憶部材Ｍからその記憶部材Ｍに記憶している識別情報の取得の実行をさせ、その識別情報取得手段１０６で取得した識別情報を受け付けるものである。
【０１３８】
利用レベル設定受付部３０は、前記印刷内容の利用を段階的に制限するための利用レベルを受け付けるものであって、前記入力手段１０１等を利用して構成している。なお、本実施形態では、前記利用レベルを、印刷手段１０３に前記印刷内容の全部を印刷させることを許可するレベルと、その一部を印刷させることを許可するレベルとに設定可能に構成している。ここで、「一部を印刷させる」とは、印刷内容の一部のみを用紙に印刷することを含むのは無論のこと、例えば、墨塗りにより印刷内容の一部を不可視にしたものも含まれる概念である。
【０１３９】
印刷内容データ受付部１６ａは、印刷内容受付部１１で受け付けた印刷内容を印刷内容データとして受け付けるものである。
【０１４０】
識別情報データ受付部１６ｂは、前記識別情報取得実行部１５で取得した識別情報を識別情報データとして受け付けるものである。
【０１４１】
利用レベルデータ受付部１６ｃは、前記利用レベル設定受付部３０で受け付けた利用レベルを利用レベルデータとして受け付けるものである。
【０１４２】
受付データ送信部１６ｄは、前記印刷内容データ受付部１６ａで受け付けた印刷内容データと、前記識別情報データ受付部１６ｂで受け付けた識別情報データと、前記利用レベルデータ受付部１６ｃで受け付けた利用レベルデータとを、受付データとして第２制御手段１０８Ｙに送信するものであって、前記第１通信手段１０４ａ等を利用して構成している。
【０１４３】
書き込み実行部１７は、前記書き込み手段１０７に対して、後述するデータ管理部１６のデータ管理本体部１６ｇで管理する印刷内容又はその印刷内容に係る情報を、印刷済み用紙Ｓ１に装着させた記憶部材Ｍに書き込むように動作させるものである。ここで、印刷内容に係る情報としては、ファイル名、作成日時、ファイルサイズなどが挙げられる。
【０１４４】
第２識別情報取得実行部１８は、前記識別情報取得手段１０６に対して、所定の印刷内容を印刷され且つ記憶部材Ｍが装着された印刷済み用紙Ｓ１のその記憶部材Ｍに記憶している識別情報の取得の実行をさせ、その識別情報取得手段１０６で取得した識別情報を受け付けるものである。
【０１４５】
印刷内容抽出部１９は、前記第２識別情報取得実行部１８で取得した識別情報に係る印刷内容を、後述するデータ管理部１６のデータ管理本体部１６ｇから抽出し、抽出した印刷内容を抽出データとして後述するデータ管理部の抽出データ送信部１６ｈから受信するものである。
【０１４６】
コメント受付部１１ａは、前記印刷内容に対するコメントを受け付けるものである。なお、本実施形態では、前記印刷実行部１２が、前記印刷手段１０３に対して、このコメント受付部１１ａで受け付けたコメントの前記用紙Ｓへの印刷の実行をさせるように構成している。
【０１４７】
証明付与命令受付部１１ｂは、前記印刷内容に対する所定の証明を付与する旨の証明付与命令を受け付けるものである。なお、本実施形態では、この証明付与命令受付部１１ｂが証明付与命令を受け付けた際に、前記印刷実行部１２が、前記印刷手段１０３に対して、前記用紙Ｓへの所定の証明の付与の実行をさせるように構成している。ここで、所定の証明とは、該プリンタＰで印刷されたものであることを示す出所証明等が挙げられる。
【０１４８】
第２制御手段１０８Ｙは、ＣＰＵ１０８ｃ、内部メモリ１０８ｄとを具備するとともに、その内部メモリ１０８ｂに記憶されたプログラムにしたがって前記ＣＰＵ１０８ａが作動し、図２５に示すように、印刷内容送信部４０、受付データ受信部１６ｅ、データ格納部１６ｆ、データ管理本体部１６ｇ、抽出データ送信部１６ｈなどとしての機能を発揮する。なお、受付データ受信部１６ｅ、データ格納部１６ｆ、データ管理本体部１６ｇ、および抽出データ送信部１６ｈが、データ管理部１６の一部を構成する。
【０１４９】
より具体的に、印刷内容送信部４０は、用紙Ｓに印刷するための印刷内容を送信するものであって、前記第２通信手段１０４ｂ等を利用して構成している。ここで、送信する印刷内容は、該第２制御手段１０８Ｙを、所定のプログラムを作動させることによりワードプロセッサとして機能させて作成した文書等が挙げられる。
【０１５０】
受付データ受信部１６ｅは、前記第１制御手段１０８Ｘの受付データ送信部１６ｄから送信される受付データを受信するものであって、前記第２通信手段１０４ｂ等を利用して構成している。
【０１５１】
データ管理本体部１６ｇは、前記受付データ受信部１６ｅで受信した受付データをデータ格納部１６ｆに管理格納するものである。
【０１５２】
抽出データ送信部１６ｈは、前記データ格納部１６ｆに管理格納している印刷内容のうち、所定の印刷内容を抽出データとして前記第１制御手段１０８Ｘに送信するものであって、前記第２通信手段１０４ｂ等を利用して構成している。
【０１５３】
次に、本実施形態のプリンタＰの動作について、図２６に示すフロー図等を用いて説明する。
【０１５４】
なお、印刷内容受付部１１が印刷内容送信部４０から受け付けた印刷内容を印刷し、印刷された用紙Ｓに記憶部材Ｍを装着する過程は、第１実施形態で説明したものと同様であるので説明を省略する。すなわち、図２６の「スタート」〜「ステップＳ５０１」において、図５の「ステップＳ１０１」〜「ステップＳ１０５」の動作がなされる。
【０１５５】
また、印刷内容を印刷する際に、コメント受付部１１ａで受け付けたコメントや、証明付与命令受付部１１ｂで受け付けた証明付与命令に係る所定の証明を同時に印刷することもできる。
【０１５６】
図２６は、装着した記憶部材Ｍから識別情報を取得し、さらに取得した識別情報と印刷内容とを関連付けて登録管理する過程をフロー図で示したものである。
【０１５７】
まず、図２６に示すように、印刷済み用紙Ｓ１への記憶部材Ｍを備えた装備綴じ具Ｔの装着が終わると、識別情報取得実行部１５が、前記識別情報取得手段１０６に対して、前記印刷済み用紙Ｓ１へ装着された装備綴じ具Ｔの記憶部材Ｍからその記憶部材Ｍに記憶している識別情報の取得の実行をさせることにより識別情報を取得する（ステップＳ５０１）。このようにして取得した識別情報と前記印刷内容とを、それぞれ識別情報データ受付部１６ｂと印刷内容データ受付部１６ａとが受け付けると（ステップＳ５０２）、受付データ送信部１６ｄがそれらを受付データとして第２制御手段１０８Ｙに対して送信する（ステップＳ５０３）。そして受付データ受信部１６ｅが受付データを受信すると（ステップＳ５０４）、その受付データをデータ管理本体部１６ｇがデータ格納部１６ｆに管理格納する（ステップＳ５０５）。ところで、印刷内容を記憶部材Ｍに書き込むのであれば（ステップＳ５０６）、書き込み実行部１７が、書き込み手段１０７に対して、前記データ管理部１６で管理する印刷内容又はその印刷内容に係る情報を、前記印刷済み用紙Ｓ１に装着させた記憶部材Ｍに書き込むように動作させる（ステップＳ５０７）。次に、印刷内容を印刷され且つ記憶部材Ｍを装着された印刷済み用紙Ｓ１が、前記排出ローラ手段によってプリンタＰ外部に排紙される（ステップＳ５０８）。
【０１５８】
なお、前記ステップＳ５０１またはステップＳ５０２において、利用レベル設定受付部３０が、利用レベルの設定を受け付けていれば、ステップＳ５０３において、受付データ送信部１６ｄが、受け付けた利用レベル設定の利用レベルデータを受付データに含めて第２制御手段１０８Ｙに対して送信するように構成している。そして、ステップＳ５０７において、利用レベル設定受付部３０で受け付けた利用レベルを記憶部材Ｍに書き込むように構成している。
【０１５９】
以上に詳述したように、本実施形態のプリンタＰは、印刷内容を印刷する用紙Ｓに、記憶部材Ｍを備えた装備綴じ具Ｔで綴じるようにして装着するので、この記憶部材Ｍに記憶している識別情報に基づいて綴じた印刷済み用紙Ｓ１の管理を容易に行うことができる。また、記憶部材Ｍに記憶する識別情報と印刷内容とを関連付けて登録管理しているので、この登録したものを参照すれば、記憶部材Ｍを装着している綴じた印刷済み用紙Ｓ１にどのような印刷内容が印刷されているかを簡単に知ることもできる。そして、登録されている印刷内容と綴じた印刷済み用紙Ｓ１に印刷されている印刷内容とが異なっていれば、記憶部材Ｍを装着している綴じた印刷済み用紙Ｓ１に、問題があることを発見することができる。すなわち、印刷済みの綴じた印刷済み用紙Ｓ１の管理を容易に行え、且つ、印刷する印刷内容に対して信頼性を与えることが可能な非常に高性能なプリンタＰを実現することができる。
【０１６０】
また、利用レベルにより、印刷内容の一部を、秘匿したい部分を墨塗りして印刷し物理的に再印刷を制限したり、また、秘密等の文字を文書の背景に薄く重ねて印刷したり、余白部へのマル秘マークや秘密等の文字の印刷など人に対して制限したりできるので、極秘にすべき部分の印刷や、際限なき再印刷を好適に防止することもできる。
【０１６１】
また、印刷内容を示す元データを記憶部材Ｍに記憶することができるので、印刷済み用紙Ｓ１を、より信頼性が求められ且つ改変されないことが必要なものとすることができる。
【０１６２】
ところで、上述のように印刷内容を印刷され且つ記憶部材Ｍが装着された印刷済み用紙Ｓ１を、該プリンタＰの所定場所に位置付ければ、第１実施形態と同様に、その印刷済み用紙Ｓ１に印刷された印刷内容が、新たな用紙Ｓに印刷されてプリンタＰより排紙されるようにすることもできる。ここで、前記所定場所とは、記憶部材Ｍの構成にもよるが、本実施形態のように、記憶部材Ｍが電磁誘導方式のＲＦＩＤタグであれば、前記識別情報取得手段１０６近傍にその記憶部材Ｍを近づければよい。
【０１６３】
このときのプリンタＰの動作を具体的に示すと、図２７に示すように、印刷済み用紙Ｓ１が識別情報取得手段１０６近傍に位置付けられることにより前記第２識別情報取得実行部１８が動作して、該第２識別情報取得実行部１８が前記識別情報取得手段１０６に対して、印刷済み用紙Ｓ１に装着された装備綴じ具Ｔの記憶部材Ｍに記憶している識別情報の取得の実行をさせることにより識別情報を取得すると（ステップＳ６０１）、前記印刷内容抽出部１９がその識別情報に係り且つデータ管理部１６のデータ管理本体部１６ｇで抽出した印刷内容を抽出データ送信部１６ｈから受信し（ステップＳ６０２）、抽出した印刷内容と利用レベルとを印刷内容受付部１１に出力する（ステップＳ６０３）。以下、上述のステップＳ５０１〜Ｓ５０９などのようにして、印刷済み用紙Ｓ１に印刷された印刷内容が、利用レベルの範囲内で新たな用紙Ｓに印刷されてプリンタＰより排紙されることとなる。
【０１６４】
以上のように、印刷済み用紙Ｓ１をプリンタＰにかざすといったワンアクションによって、いとも簡単に同じ印刷内容が印刷された印刷済み用紙Ｓ１を新たに生成することができる。
【０１６５】
また、利用レベルにより印刷可能な範囲が制限されるので、書類のセキュリティ対策を好適に行える。
【０１６６】
なお、各部の具体的な構成は、上述した実施形態のみに限定されるものではなく、本発明の趣旨を逸脱しない範囲で種々変形が可能である。
【図面の簡単な説明】
【０１６７】
【図１】本発明の実施形態における全体機器構成図。
【図２】同実施形態の記憶部材を備えた綴じ具を示す斜視図。
【図３】同実施形態における機器構成図。
【図４】同実施形態における制御手段の機能構成図。
【図５】同実施形態における印刷内容の受付から排紙までの動作を示すフロー図。
【図６】同実施形態における印刷済みの用紙に装着している記録部材から識別情報を取得し、この識別情報に係る印刷内容を抽出し出力する動作を示すフロー図。
【図７】本発明の他の実施形態における制御手段の機器構成図。
【図８】同実施形態における制御手段の機能構成図。
【図９】同実施形態における印刷内容の受付から排紙までの動作を示すフロー図。
【図１０】本発明の他の実施形態における制御手段の機器構成図。
【図１１】同実施形態における制御手段の機能構成図。
【図１２】本発明の他の実施形態における全体機器構成図。
【図１３】同実施形態における機器構成図。
【図１４】同実施形態における制御手段の機能構成図。
【図１５】同実施形態における印刷内容の受付から排紙までの動作を示すフロー図。
【図１６】本発明の他の実施形態における全体機器構成図。
【図１７】同実施形態におけるダブルクリップ装着手段の概略構成図。
【図１８】本発明の他の実施形態における全体機器構成図。
【図１９】同実施形態における機器構成図。
【図２０】同実施形態におけるシール収容体の要部の概略構成図。
【図２１】同実施形態における制御手段の機能構成図。
【図２２】同実施形態における印刷内容の受付から排紙までの動作を示すフロー図。
【図２３】本発明の他の実施形態における全体機器構成図。
【図２４】同実施形態における機器構成図。
【図２５】同実施形態における制御手段の機能構成図。
【図２６】同実施形態における印刷内容の受付から排紙までの動作を示すフロー図。
【図２７】同実施形態における印刷済みの用紙に装着している記録部材から識別情報を取得し、この識別情報に係る印刷内容を抽出し出力する動作を示すフロー図。
【図２８】同実施形態の記憶部材を半一体的に備えた綴じ具を示す斜視図。
【符号の説明】
【０１６８】
１１・・・印刷内容受付部
１１ａ・・・コメント受付部
１１ｂ・・・証明付与命令受付部
１２・・・印刷実行部
１３・・・印刷完了検知部
１３ａ・・・印刷状態検知部
１４・・・装着実行部
１４ａ・・・供給実行部
１５・・・識別情報取得実行部
１６・・・データ管理部
１６ａ・・・印刷内容データ受付部
１６ｂ・・・識別情報データ受付部
１６ｆ・・・データ格納部
１６ｇ・・・データ管理本体部
１７・・・書き込み実行部
１８・・・第２識別情報取得実行部
１９・・・印刷内容抽出部
２１・・・印刷枚数取得部
２２・・・選択供給命令受付部
３０・・・利用レベル設定受付部
１０３・・・印刷手段
１０５・・・記憶部材装着手段
１０５ａ・・・供給手段（綴じ具供給手段）
１０５ｂ・・・供給手段（シール供給手段）
１０６・・・識別情報取得手段
１０７・・・書き込み手段
１０８、１０８Ｘ、１０８Ｙ・・・制御手段
ＣＡ・・・収容体（クリップ収容体）
Ｍ・・・記憶部材
Ｐ・・・プリンタ
Ｓ・・・対象物（用紙）
Ｓ１・・・印刷済み対象物（印刷済み用紙）
Ｔ・・・装備綴じ具（装備ステープル）
Ｔ１・・・装備綴じ具（第１装備ステープル）
Ｔ２・・・装備綴じ具（第２装備ステープル）
Ｔ３・・・装備綴じ具（第３装備ステープル）
ＣＬ１・・・装備綴じ具（第１装備ダブルクリップ）
ＣＬ２・・・装備綴じ具（第２装備ダブルクリップ）
ＣＬ３・・・装備綴じ具（第３装備ダブルクリップ）
ＳＲＭ・・・装備貼付部材（装備シール）
ＳＲＮ・・・非装備貼付部材（非装備シール）
【図１】
2004314590.tif 000003
【図２】
2004314590.tif 000004
【図３】
2004314590.tif 000005
【図４】
2004314590.tif 000006
【図５】
2004314590.tif 000007
【図６】
2004314590.tif 000008
【図７】
2004314590.tif 000009
【図８】
2004314590.tif 000010
【図９】
2004314590.tif 000011
【図１０】
2004314590.tif 000012
【図１１】
2004314590.tif 000013
【図１２】
2004314590.tif 000014
【図１３】
2004314590.tif 000015
【図１４】
2004314590.tif 000016
【図１５】
2004314590.tif 000017
【図１６】
2004314590.tif 000018
【図１７】
2004314590.tif 000019
【図１８】
2004314590.tif 000020
【図１９】
2004314590.tif 000021
【図２０】
2004314590.tif 000022
【図２１】
2004314590.tif 000023
【図２２】
2004314590.tif 000024
【図２３】
2004314590.tif 000025
【図２４】
2004314590.tif 000026
【図２５】
2004314590.tif 000027
【図２６】
2004314590.tif 000028
【図２７】
2004314590.tif 000029
【図２８】
2004314590.tif 000030